(57)【要約】【課題】キャップと容器本体との気密性を維持したまま、容器本体に形成された各収納部屋から収納物を一種類ずつ確実に取り出すことができる。【解決手段】容器本体１を周方向に複数の収納部屋３、４、５に仕切り、その上部に着脱自在に上蓋９を設け、この上蓋９に各収納部屋３、４、５に対応して吐出口１１、１２、１３を設け、前記容器本体１にキャップ２を被せ、このキャップ２に前記各収納部屋３、４、５に対応して取出部屋１４、１５、１６を設けるとともに取出部屋１４、１５、１６の先端には出口１７、１８、１９を形成し、前記キャップ２の下面に下蓋１７を前記上蓋９に対面させて設け、前記下蓋１７にも各取出部屋１４、１５、１６に対応した排出口１８、１９、２０を設け、これら吐出口１１、１２、１３及び排出口１８、１９、２０の一対を整合させたときに他の吐出口、排出口は不整となるように吐出口と排出口の位置関係を定めるようにした。【選択図】図１
2010076806.tif 000002
【特許請求の範囲】
【請求項１】
周方向に複数の部屋に仕切られた容器本体と、
容器本体の部屋に対応して周方向に複数の部屋に仕切られその先端に各部屋に連なる出口を備えたキャップとからなり、前記容器本体の上面は着脱自在の上蓋を備え、この上蓋に容器本体内に収納された収納物を吐出する吐出口を容器本体の各部屋に対応した位置に設け、前記キャップの下面に前記上蓋に対面して下蓋を設け、この下蓋にキャップの各部屋に対応した位置に排出口を設け、前記吐出口と排出口の形成位置をそれらの一対が整合したときに他の吐出口と排出口は、不整合となるように設定してなる複数の種類の収納物を収納する容器。
【請求項２】
前記容器本体とキャップの相対的回転により前記吐出口と排出口の一対を整合せしめ、前記相対的回転の回転角度は容器本体とキャップの各部屋の仕切角内である請求項１記載の容器。
【発明の詳細な説明】
【技術分野】
【０００１】
本発明は、複数の種類の収納物を収納し、必要に応じてそれらの一種類ずつを取り出すことができる容器に関する。  
【背景技術】
【０００２】
従来、複数の種類の収納物を収納し、必要に応じてそれらの一種類ずつを取り出すことができる容器として登録実用新案第３０５００６１号に開示された塩入りふりかけ容器がある。
【０００３】
この容器は、収納室部を複数個の部屋に区画するとともに各部屋に対応した上方開口部を有する容器本体と、収納室部に収納された塩を吐出する吐出口を設けるとともに開口部を施蓋する蓋部とを備え、この蓋部に１個の吐出口を設け、前記蓋部を回転させて吐出口と容器本体の各収納室に対応した孔部とを整合させて各収納室に収納されたふりかけを外部に取出すようにしている。
【特許文献１】登録実用新案第３０５００６１号
【発明の開示】
【発明が解決しようとする課題】
【０００４】
しかしながら、前記ふりかけ容器においては、蓋部に１個の吐出口しか設けておらず、この吐出口を容器本体の各収納室に対応した孔部に整合させるためには、蓋部を１回転させなければならず、蓋部と容器本体との気密性が問題となる。
【課題を解決するための手段】
【０００５】
そこで、本発明の容器は、周方向に複数の部屋に仕切られた容器本体と、容器本体の部屋に対応して周方向に複数の部屋に仕切られその先端に各部屋に連なる出口を備えたキャップとからなり、前記容器本体の上面は着脱自在の上蓋を備え、この上蓋に容器本体内に収納された収納物を吐出する吐出口を容器本体の各部屋に対応した位置に設け、前記キャップの下面に前記上蓋に対面して下蓋を設け、この下蓋にキャップの各部屋に対応した位置に排出口を設け、前記吐出口と排出口の形成位置をそれらの一対が整合したときに他の吐出口と排出口は、不整合となるように設定してなる。
【０００６】
また、前記容器本体とキャップの相対的回転により前記吐出口と排出口の一対を整合せしめ、前記相対的回転の回転角度は容器本体とキャップの各部屋の仕切角内であることが好ましい。
【発明の効果】
【０００７】
キャップと容器の相対的回転角度を容器本体の収納部屋の仕切板の仕切角度内に押さえることができ、キャップと容器および上蓋と下蓋との気密性を保持できる。
【発明を実施するための最良の形態】
【０００８】
以下、図面を参照して本発明を実施するための最良の形態について説明する。
【０００９】
図１、２、３において、本発明の容器Ｃは、筒形の容器本体１と、この容器本体１に着脱自在に、かつ回転自在に係合（ねじ係合又は凹凸係合）するキャップ２とを有している。前記容器本体１は、円周方向に、例えば３つの収納部屋３、４、５が仕切壁６、７、８によって形成され、この仕切壁６、７、８は筒状本体の中心から放射状に伸び、前記各収納部屋３、４、５には、例えば、種類の異なるふりかけ、ギョーザのためのしょう油、ラー油、酢等の異なる種類の粒状、又は液状の収納物が収納され、容器本体１の周壁上部にはねじＳ１が形成され、このねじＳ１はキャップ２の端部内壁に形成されたねじＳ２に対応している。前記容器本体１の上面は、着脱自在に上蓋９が取り付けられ、この上蓋９に各収納部屋３、４、５に対応して収納物を吐出する吐出口１１、１２、１３が形成されている。
【００１０】
一方、前記キャップ２には、前記各収納部屋３、４、５に対応して筒体の中心から伸びる仕切壁２１、２２、２３によって取出部屋１４、１５、１６が形成され、この取出部屋１４、１５、１６の先端には収納部屋３、４、５の収納物を排出する出口が形成されている（図１）。
【００１１】
なお、キャップ２の拡径部分には、下蓋１７が固着され（図３）、この下蓋１７には、各取出部屋１４、１５、１６に対応して排出口１８、１９、２０が形成されている。
【００１２】
上記上蓋９と下蓋１７とは、キャップ２を容器本体１に係合した状態で密着対面している。前記吐出口１１、１２、１３と排出口１８、１９、２０の形成位置は、一対の吐出口と排出口とが整合したときに、他の対の吐出口と排出口とは不整合となるように定められている。すなわち、図４、図５に示すように対応する吐出口１１と排出口２０とは上蓋９、下蓋１７の中心から等距離ａにあり、吐出口１２と排出口１８とは等距離ｂに吐出口１３と排出口１９とは等距離ｃにあり、それら吐出口と排出口は仕切壁に対して異なる位置に設定されている。したがって、容器本体１とキャップ２とを相対的に仕切壁間の仕切角度θ以内で回動させて、吐出口１１と排出口２０とを整合させると吐出口１２と排出口１８、吐出口１３と排出口１９とは不整合となり、収納部屋３の収納物が取出されるようになっている。同様に吐出口１２と排出口１８を仕切角θ内で回動させて整合させたときに他の吐出口と排出口とは不整合となり、吐出口１３と排出口１９とを仕切角θ内で整合させたときに他の吐出口と排出口とは不整合となる。
【図面の簡単な説明】
【００１３】
【図１】本発明の容器の斜視図である。
【図２】本発明の容器の容器本体の斜視図である。
【図３】本発明の容器のキャップの斜視図である。
【図４】上蓋の正面図である。
【図５】下蓋の正面図である。
【符号の説明】
【００１４】
１…容器本体
２…キャップ
３、４、５…収納部屋
９…上蓋
１１、１２、１３…吐出口
１４、１５、１６…取出部屋
１７…下蓋
１８、１９、２０…排出口
【図１】
2010076806.tif 000003
【図２】
2010076806.tif 000004
【図３】
2010076806.tif 000005
【図４】
2010076806.tif 000006
【図５】
2010076806.tif 000007
【手続補正書】
【提出日】平成20年10月8日(2008.10.8)
【手続補正１】
【補正対象書類名】図面
【補正対象項目名】全図
【補正方法】変更
【補正の内容】
【図１】
2010076806.tif 000008
【図２】
2010076806.tif 000009
【図３】
2010076806.tif 000010
【図４】
2010076806.tif 000011
【図５】
2010076806.tif 000012